(57)【要約】  発光ダイオード照明モジュールを提供する。該発光ダイオード照明モジュールは、取付面（１１１）を１つ有する台座（１１０）と、台座（１１０）の取付面（１１１）に設置された少なくとも１つの発光ダイオード素子であって、各発光ダイオード素子（１３０）はパッケージされた複数の発光ダイオードチップを含む発光ダイオード素子（１３０）と、台座（１１０）の少なくとも1つの発光ダイオード素子（１３０）が設置された側に設置され、台座（１１０）との間に収容空間（２００）を１つ形成するレンズアセンブリであって、少なくとも1つの発光ダイオード素子（１３０）は収容空間（２００）内に位置し、レンズアセンブリ（１２０）は、レンズ支持部（１２１）と発光ダイオード素子（１３０）に一々対応するレンズ部（１２２）とを含み、レンズ部（１２２）は、対応する発光ダイオード素子（１３０）の配光を実現するように、対応する発光ダイオード素子（１３０）に設置され、レンズ支持部（１２１）は、レンズ部を支持するように、レンズ部（１２２）に接続される、レンズアセンブリ（１２０）と、を含む。該照明モジュールは照明輝度を向上させ、一部の発光ダイオードチップが故障した際、モジュールの発光品質が低下することが少ない発光ダイオード照明モジュールを提供する。
2019523972.tif 000002
【特許請求の範囲】
【請求項１】
取付面を１つ有する台座と、
前記台座の取付面上に設置された少なくとも１つの発光ダイオード素子であって、各前記発光ダイオード素子はパッケージされた複数の発光ダイオードチップを含む発光ダイオード素子と、
前記台座の前記少なくとも1つの発光ダイオード素子が設置された側に設置され、前記台座との間に収容空間を１つ形成するレンズアセンブリであって、前記少なくとも1つの発光ダイオード素子は前記収容空間内に位置し、前記レンズアセンブリは、レンズ支持部と前記発光ダイオード素子に一々対応するレンズ部とを含み、前記レンズ部は、対応する発光ダイオード素子の配光を実現するように、前記対応する発光ダイオード素子に設置され、前記レンズ支持部は、前記レンズ部を支持するように、前記レンズ部に接続される、レンズアセンブリと、を含む、発光ダイオード照明モジュール。
【請求項２】
各前記発光ダイオード素子は、個別にパッケージされたマルチチップ発光ダイオードランプビーズである、請求項１に記載の発光ダイオード照明モジュール。
【請求項３】
前記発光ダイオード素子は、
前記複数の発光ダイオードチップがマトリックス状に配列されたブラケットと、
前記ブラケットと前記複数の発光ダイオードチップを包むパッケージ層と、をさらに含む、請求項１に記載の発光ダイオード照明モジュール。
【請求項４】
前記パッケージ層は、前記複数の発光ダイオードチップを前記ブラケットにシールするように、前記ブラケットと前記複数の発光ダイオードチップを直接に覆う、請求項３に記載の発光ダイオード照明モジュール。
【請求項５】
前記取付面に設置された回路基板をさらに含み、前記少なくとも１つの発光ダイオード素子は前記回路基板に設置される、請求項１〜４のいずれか一項に記載の発光ダイオード照明モジュール。
【請求項６】
前記台座は回路基板を含む、請求項１〜４のいずれか一項に記載の発光ダイオード照明モジュール。
【請求項７】
前記台座は前記発光ダイオード素子を支持する本体部を含む、請求項１〜４のいずれか一項に記載の発光ダイオード照明モジュール。
【請求項８】
前記台座は前記本体部の前記取付面の反対側に設置されたヒートシンクをさらに含む、請求項７に記載の発光ダイオード照明モジュール。
【請求項９】
前記台座はランプ掛けを含む、請求項１〜４のいずれか一項に記載の発光ダイオード照明モジュール。
【請求項１０】
前記レンズアセンブリを前記台座に固定するように、前記レンズアセンブリの縁に設置された固定アセンブリをさらに含む、請求項１に記載の発光ダイオード照明モジュール。
【請求項１１】
前記固定アセンブリは、
前記レンズアセンブリと前記台座を締め付けるように、前記レンズアセンブリに対して前記台座に向かう圧力を付勢するように配置される固定子と、
前記レンズアセンブリを前記台座上に固定して前記レンズアセンブリと前記台座との間に密閉空間である前記収容空間を形成させるように、前記レンズアセンブリと前記台座との間に設置されるシーラントと、のうちの少なくとも１つを含む、請求項１０に記載の発光ダイオード照明モジュール。
【請求項１２】
前記台座と前記レンズアセンブリとの間に設置される弾性ワッシャをさらに含み、前記固定アセンブリが前記レンズアセンブリと前記台座を互いに固定して前記弾性ワッシャを圧縮状態にさせる、請求項１１に記載の発光ダイオード照明モジュール。
【請求項１３】
前記レンズ支持部と前記固定子は一体構造である、請求項１１に記載の発光ダイオード照明モジュール。
【請求項１４】
前記レンズ支持部と前記固定子は分離構造である、請求項１１に記載の発光ダイオード照明モジュール。
【請求項１５】
前記固定子は、前記レンズアセンブリの前記台座の反対側に設置されて前記レンズアセンブリの一部に面する第１部分と、前記第１部分から延びて前記台座に接続される第２部分とを含み、前記固定子の前記第１部分は前記レンズアセンブリに対して前記台座に向かう圧力を付勢する、請求項１３または１４に記載の発光ダイオード照明モジュール。
【請求項１６】
前記第２部分は前記レンズアセンブリの側面から前記台座の側面まで延び、前記固定子の前記第２部分は、前記台座に接続するように、前記台座と互いに合わせられたスナップ構造を形成する、請求項１５に記載の発光ダイオード照明モジュール。
【請求項１７】
前記第２部分は前記レンズアセンブリの側面から前記台座の側面まで延び、前記固定子の前記第２部分は締付品によって前記台座に接続される、請求項１５に記載の発光ダイオード照明モジュール。
【請求項１８】
前記固定子は、前記レンズアセンブリの前記台座の反対側に設置されて前記レンズアセンブリの一部に面する第１部分を含み、前記発光ダイオード照明モジュールは、前記第１部分を前記台座上に固定する締付品をさらに含む、請求項１１に記載の発光ダイオード照明モジュール。
【請求項１９】
前記締付品はボルトである、請求項１７に記載の発光ダイオード照明モジュール。
【請求項２０】
前記ランプ掛けは、電源アセンブリを放置するように配置される電源取付部と、前記レンズアセンブリおよび前記発光ダイオード素子が設置される光源取付部とを含む、請求項９に記載の発光ダイオード照明モジュール。
【請求項２１】
前記台座は前記光源取付部と前記電源取付部との間に位置する複数のスルーホールを含む、請求項２０に記載の発光ダイオード照明モジュール。
【請求項２２】
前記台座を貫通するスルーホールを介して前記収容空間から前記発光ダイオード照明装置の外部まで引き出されるワイヤを含むワイヤ引出構造をさらに含み、前記ワイヤと前記スルーホールとの間がシールされる、請求項１に記載の発光ダイオード照明モジュール。
【請求項２３】
前記ワイヤ引出構造は、前記ワイヤと前記スルーホールとの間の隙間をシールするシールリングをさらに含む、請求項２２に記載の発光ダイオード照明モジュール。
【請求項２４】
前記ワイヤ引出構造は雄ねじ管をさらに含み、前記ワイヤが前記シールリングと前記雄ねじ管を通過し、前記シールリングの内周面が前記ワイヤに密接され、前記シールリングの外周面が前記雄ねじ管の内周面に密接され、前記雄ねじ管の少なくとも一部が前記スルーホール内に挿し込まれ、前記スルーホールの内壁に結合される、請求項２３に記載の発光ダイオード照明モジュール。
【請求項２５】
前記台座を貫通する前記スルーホールは、順に接続される、第１穴、移行円錐穴及び第２穴を含み、前記第１穴は、前記台座の前記収容空間から離れる側に形成され、前記第２穴は、前記台座の前記収容空間に近接する側に形成され、前記移行円錐穴は、前記第１穴と前記第２穴との間に形成され、前記第１穴の直径は前記第２穴の直径より大きく、前記移行円錐穴は、前記収容空間から離れる端から前記収容空間に近接する端に向かう方向において、その直径が前記第１穴の直径から前記第２穴の直径になるように徐々に変化する、請求項２４に記載の発光ダイオード照明モジュール。
【請求項２６】
前記スルーホールの前記第１穴は雌ねじを有し、前記雄ねじ管が前記スルーホールの前記第１穴に挿し込まれ、前記雄ねじ管の雄ねじが前記第１穴の雌ねじに互いに噛み合う、請求項２５に記載の発光ダイオード照明モジュール。
【請求項２７】
前記シールリングは外径の大きい頭部と外径の小さい本体部とを含み、前記雄ねじ管の内周面が前記シールリングの本体部の外周面に密接される、請求項２５または２６に記載の発光ダイオード照明モジュール。
【請求項２８】
前記シールリングの頭部は前記シールリングの本体部より前記収容空間に近接する、請求項２７に記載の発光ダイオード照明モジュール。
【請求項２９】
前記雄ねじ管の外径と前記シールリングの頭部の外径はいずれも前記スルーホールの前記第２穴の直径より大きくて、前記シールリングの頭部は前記雄ねじ管の端部と前記移行円錐穴の錐面との間に押圧される、請求項２７に記載の発光ダイオード照明モジュール。
【請求項３０】
前記台座は、前記発光ダイオード素子を支持する本体部と、前記本体部の前記取付面の反対側に設置されるヒートシンクと、を含む、請求項２２〜２６のいずれか一項に記載の発光ダイオード照明モジュール。
【請求項３１】
前記台座は、前記発光ダイオード照明装置の両端において前記ヒートシンクから外に突出する取付部をさらに含む、請求項３０に記載の発光ダイオード照明モジュール。
【請求項３２】
前記取付部は前記取付面に平行となる板状構造、または楔形状に屈曲した楔形状構造である、請求項３１に記載の発光ダイオード照明モジュール。
【請求項３３】
前記ワイヤの前記収容空間の外部に突出する一端には、防水コネクタが接続されている、請求項２２〜２６のいずれか一項に記載の発光ダイオード照明モジュール。
【発明の詳細な説明】
【技術分野】
【０００１】
本開示は発光ダイオード照明モジュールに関する。
【背景技術】
【０００２】
発光ダイオード（Ｌｉｇｈｔ  Ｅｍｉｔｔｉｎｇ  Ｄｉｏｄｅ、ＬＥＤ）は半導体発光素子である。通常、発光ダイオードは半導体チップを含み、半導体チップに電流を印加することにより、半導体内においてキャリアの複合によって過剰なエネルギーを放出して光子の発射を引き起こし、該半導体チップを発光させることができる。
【０００３】
発光ダイオード照明装置は発光ダイオードを光源として利用する照明装置である。発光ダイオード照明装置は、省エネルギー、長寿命、優れた適用性、短応答時間、エコなどのメリットを有するため、照明、信号指示、バックライト表示などの領域においてよく応用される見込みである。
【発明の概要】
【０００４】
本開示の１つの実施例は、取付面を１つ有する台座と、前記台座の取付面上に設置された少なくとも１つの発光ダイオード素子であって、各前記発光ダイオード素子はパッケージされた複数の発光ダイオードチップを含む発光ダイオード素子と、前記台座の前記少なくとも1つの発光ダイオード素子が設置された側に設置され、前記台座との間に収容空間を１つ形成するレンズアセンブリであって、前記少なくとも1つの発光ダイオード素子は前記収容空間内に位置し、前記レンズアセンブリは、レンズ支持部と前記発光ダイオード素子に一々対応するレンズ部とを含み、前記レンズ部は、対応する発光ダイオード素子の配光を実現するように、前記対応する発光ダイオード素子上に設置され、前記レンズ支持部は、前記レンズ部を支持するように、前記レンズ部に接続される、レンズアセンブリと、を含む、発光ダイオード照明モジュールを提供する。
【０００５】
いくつかの例示において、各前記発光ダイオード素子は、個別にパッケージされたマルチチップ発光ダイオードランプビーズである。
【０００６】
いくつかの例示において、前記発光ダイオード素子は、前記複数の発光ダイオードチップがマトリックス状に配列されたブラケットと、前記ブラケットと前記複数の発光ダイオードチップを包むパッケージ層と、をさらに含む。
【０００７】
いくつかの例示において、前記パッケージ層は、前記複数の発光ダイオードチップを前記ブラケット上にシールするように、前記ブラケットと前記複数の発光ダイオードチップを直接に覆う。
【０００８】
いくつかの例示において、発光ダイオード照明モジュールは、前記取付面上に設置された回路基板をさらに含み、前記少なくとも１つの発光ダイオード素子は前記回路基板上に設置される。
【０００９】
いくつかの例示において、前記台座は回路基板を含む。
【００１０】
いくつかの例示において、前記台座は前記発光ダイオード素子を支持する本体部を含む。
【００１１】
いくつかの例示において、前記台座は前記本体部の前記取付面の反対側に設置されたヒートシンクをさらに含む。
【００１２】
いくつかの例示において、前記台座はランプ掛けを含む。
【００１３】
いくつかの例示において、発光ダイオード照明モジュールは、前記レンズアセンブリを前記台座上に固定するように、前記レンズアセンブリの縁に設置された固定アセンブリをさらに含む。
【００１４】
いくつかの例示において、前記固定アセンブリは、前記レンズアセンブリと前記台座を締め付けるように、前記レンズアセンブリに対して前記台座に向かう圧力を付勢するように配置される固定子と、前記レンズアセンブリを前記台座上に固定して前記レンズアセンブリと前記台座との間に密閉空間である前記収容空間を形成させるように、前記レンズアセンブリと前記台座との間に設置されるシーラントと、のうちの少なくとも１つを含む。
【００１５】
いくつかの例示において、発光ダイオード照明モジュールは、前記台座と前記レンズアセンブリとの間に設置される弾性ワッシャをさらに含み、前記固定アセンブリが前記レンズアセンブリと前記台座を互いに固定して前記弾性ワッシャを圧縮状態にさせる。
【００１６】
いくつかの例示において、前記レンズ支持部と前記固定子は一体構造である。
【００１７】
いくつかの例示において、前記レンズ支持部と前記固定子は分離構造である。
【００１８】
いくつかの例示において、前記固定子は、前記レンズアセンブリの前記台座の反対側に設置されて前記レンズアセンブリの一部に面する第１部分と、前記第１部分から延びて前記台座に接続される第２部分とを含み、前記固定子の第１部分は前記レンズアセンブリに対して前記台座に向かう圧力を付勢する。
【００１９】
いくつかの例示において、前記第２部分は前記レンズアセンブリの側面から前記台座の側面まで延び、前記固定子の第２部分は、前記台座に接続するように、前記台座と互いに合わせるスナップ構造を形成する。
【００２０】
いくつかの例示において、前記第２部分は前記レンズアセンブリの側面から前記台座の側面まで延び、前記固定子の第２部分は締付品によって前記第２部分を前記台座に接続させる。
【００２１】
いくつかの例示において、前記固定子は、前記レンズアセンブリの前記台座の反対側に設置されて前記レンズアセンブリの一部に面する第１部分を含み、前記発光ダイオード照明モジュールは、前記第１部分を前記台座上に固定する締付品をさらに含む。
【００２２】
いくつかの例示において、前記締付品はボルトである。
【００２３】
いくつかの例示において、前記ランプ掛けは、電源アセンブリを放置するように配置される電源取付部と、前記レンズアセンブリおよび前記発光ダイオード素子が設置される光源取付部とを含む。
【００２４】
いくつかの例示において、前記台座は前記光源取付部と前記電源取付部との間に位置する複数のスルーホールを含む。
【００２５】
いくつかの例示において、発光ダイオード照明モジュールは、前記台座を貫通するスルーホールを介して前記収容空間から前記発光ダイオード照明モジュールの外部まで引き出されるワイヤを含むワイヤ引出構造をさらに含み、前記ワイヤと前記スルーホールとの間がシールされる。
【００２６】
いくつかの例示において、前記ワイヤ引出構造は、前記ワイヤと前記スルーホールとの間の隙間をシールするシールリングをさらに含む。
【００２７】
いくつかの例示において、前記ワイヤ引出構造は雄ねじ管をさらに含み、前記ワイヤが前記シールリングと前記雄ねじ管を通過し、前記シールリングの内周面が前記ワイヤに密接され、前記シールリングの外周面が前記雄ねじ管の内周面に密接され、前記雄ねじ管の少なくとも一部が前記スルーホール内に挿し込まれ、前記スルーホールの内壁に結合される。
【００２８】
いくつかの例示において、前記台座を貫通するスルーホールは、順に接続される、第１穴、移行円錐穴及び第２穴を含み、前記第１穴は、前記台座の前記収容空間から離れる側に形成され、 前記第２穴は、前記台座の前記収容空間に近接する側に形成され、前記移行円錐穴は、第１穴と第２穴との間に形成され、前記第１穴の直径は第２穴の直径より大きく、前記移行円錐穴は、前記収容空間から離れる端から前記収容空間に近接する端に向かう方向において、その直径が前記第１穴の直径から前記第２穴の直径になるように徐々に変化する。
【００２９】
いくつかの例示において、前記スルーホールの第１穴は雌ねじを有し、前記雄ねじ管が前記スルーホールの第１穴に挿し込まれ、前記雄ねじ管の雄ねじが前記第１穴の雌ねじに互いに噛み合わされる。
【００３０】
いくつかの例示において、前記シールリングは外径の大きい頭部と外径の小さい本体部とを含み、前記雄ねじ管の内周面が前記シールリングの本体部の外周面に密接される。
【００３１】
いくつかの例示において、前記シールリングの頭部は前記シールリングの本体部より前記収容空間に近接する。
【００３２】
いくつかの例示において、前記雄ねじ管の外径と前記シールリングの頭部の外径はいずれも前記スルーホールの第２穴の直径より大きくて、前記シールリングの頭部は前記雄ねじ管の端部と前記移行円錐穴の錐面との間に押圧される。
【００３３】
いくつかの例示において、前記台座は、前記発光ダイオード素子を支持する本体部と、前記本体部の前記取付面の反対側に設置されるヒートシンクと、を含む。
【００３４】
いくつかの例示において、前記台座は、前記発光ダイオード照明モジュールの両端において前記ヒートシンクから外に突出する取付部をさらに含む。
【００３５】
いくつかの例示において、前記取付部は前記取付面に平行となる板状構造、または楔形状に屈曲した楔形状構造である。
【００３６】
いくつかの例示において、前記ワイヤの前記収容空間の外部に突出する一端には、防水コネクタが接続されている。
【図面の簡単な説明】
【００３７】
発明の実施例の技術案をより明瞭に説明するために、以下では実施例の図面を簡単に説明し、明らかなように、下記図面は単に発明の一部の実施例に過ぎず、発明を限定するものではない。
【００３８】
【図１】図１は本開示の１つの実施例に係る発光ダイオード照明モジュールの分解模式図である。
【図２】図２は本開示の１つの実施例に係る発光ダイオード照明モジュールの断面模式図である。
【図３】図３は本開示の１つの実施例に係る発光ダイオード照明モジュールの平面模式図である。
【図４ａ】図４ａは本開示の１つの実施例に係る発光ダイオード素子の平面模式図である。
【図４ｂ】図４ｂは本開示の１つの実施例に係る発光ダイオード素子の図４ａにおけるＡＡ’方向に沿う断面模式図である。
【図５】図５は本開示の１つの実施例に係る発光ダイオード照明モジュールの断面模式図である。
【図６】図６は本開示の１つの実施例に係る別の発光ダイオード照明モジュールの断面模式図である。
【図７】図７は本開示の１つの実施例に係る別の発光ダイオード照明モジュールの断面模式図である。
【図８】図８は本開示の１つの実施例に係る別の発光ダイオード照明モジュールの断面模式図である。
【図９】図９は本開示の１つの実施例に係る別の発光ダイオード照明モジュールの断面模式図である。
【図１０】図１０は本開示の１つの実施例に係る別の発光ダイオード照明モジュールの断面模式図である。
【図１１】図１１は本開示の１つの実施例に係るランプ掛けの平面模式図である。
【図１２】図１２は本開示の発光ダイオード照明装置の斜視模式図である。
【図１３】図１３は本開示の発光ダイオード照明装置の斜視模式図である。
【図１４】図１４は本開示の発光ダイオード照明装置の分解模式図である。
【図１５】図１５ａと図１５ｂは発光ダイオード照明装置の断面図および局部拡大模式図である。
【発明を実施するための形態】
【００３９】
発明の実施例の目的、技術案及び利点をより明瞭にするために、以下では発明の実施例の図面を参照しながら、発明の実施例の技術案を明瞭で、完全に説明する。勿論、説明した実施例は発明の一部の実施例に過ぎず、全ての実施例ではない。説明した発明の実施例に基づいて、当業者が進歩性のある労働を必要とせずに得られる全ての他の実施例は、発明の保護範囲に属する。
【００４０】
特に定義しない限り、ここで使用される技術用語又は科学用語は当業者が理解可能な一般的な意味である。本出願の明細書及び請求の範囲に使用される「第１」、「第２」及び類似する単語は、何らかの順序、数量又は重要性を示すものではなく、異なる構成部分を区別するためのものに過ぎない。
【００４１】
本開示は、取付面を１つ有する台座と、台座の取付面上に設置された少なくとも１つの発光ダイオード素子と、台座の少なくとも１つの発光ダイオード素子が設置された側に設置されたレンズアセンブリと、を含む発光ダイオード照明モジュールを提供する。レンズアセンブリと台座との間に１つの収容空間が形成され、少なくとも１つの発光ダイオード素子が該収容空間内に位置する。各発光ダイオード素子はパッケージされた複数の発光ダイオードチップを含む。レンズアセンブリはレンズ支持部と、発光ダイオード素子に一々対応するレンズ部と、を含み、レンズ部は、対応する発光ダイオード素子の配光を実現するように、対応する発光ダイオード素子上に設置され、レンズ支持部は、前記レンズ部を支持するように、レンズ部に接続される。したがって、本開示は、発光ダイオード素子に複数の発光ダイオードチップを設けることにより、発光ダイオード素子の輝度を向上させ、照明効果を向上させることができる発光ダイオード照明モジュールを提供する。また、発光ダイオード素子が複数の発光ダイオードチップを含むので、様々な理由により複数の発光ダイオードチップの一部が故障した場合、本発明に係る発光ダイオード照明モジュールの発光品質が低下することが少なく、 これにより、照明の安定性を向上させることができるとともに、発光ダイオード照明モジュールの耐用年数を向上させることができる。
【００４２】
以下、本発明の実施例に係る発光ダイオード照明モジュールについて、図面を参照して説明する。
【００４３】
実施例１
図１に示すように、本実施例は、取付面１１１を１つ有する台座１１０と、台座１１０の取付面１１１上に設置された少なくとも１つの発光ダイオード素子１３０であって、各発光ダイオード素子１３０はパッケージされた複数の発光ダイオードチップ（図示せず）を含む発光ダイオード素子１３０と、台座１１０の少なくとも１つの発光ダイオード素子１３０が設置された側（即ち、台座１１０の取付面１１１が設置された側）に設置されたレンズアセンブリ１２０と、を含む発光ダイオード照明モジュールを提供する。図２に示すように、レンズアセンブリ１２０と台座１１０との間に収納空間２００が１つ形成され、少なくとも１つの発光ダイオード素子１３０が収容空間２００内に位置し、レンズアセンブリ１２０は、レンズ支持部１２１と、発光ダイオード素子１３０に一々対応するレンズ部１２２と、を含み、レンズ部１２２は、対応する発光ダイオード素子１３０の配光を実現するように、対応する発光ダイオード素子１３０上に設置され、レンズ支持部１２１は、レンズ部１２２を支持するように、レンズ部１２２に接続される。
【００４４】
本実施例が提供する発光ダイオード照明モジュールにおいて、１つの発光ダイオード素子にはパッケージされた複数の発光ダイオードチップが含まれてもよいため、発光ダイオード素子の発光輝度が高く、本実施例が提供する発光ダイオード照明モジュールの照明効果を向上することができる。本実施例が提供する発光ダイオード照明モジュールにおいて、発光ダイオード素子はレンズ部に一々対応して設置され、各発光ダイオード素子はそれに一々対応されたレンズ部によって配光を行い、即ち、各発光ダイオード素子の点光源は、それに一々対応して設置されたレンズ部を介して面光源に広げられ、発光面の増加やグレアの解消などの効果を奏するため、発光ダイオード素子における複数の発光ダイオードチップのうちの一部の発光ダイオードチップがさまざまな理由で故障した際に、発光ダイオード素子はレンズ部と一々対応して設置されているので、該発光ダイオード素子は輝度が低下するだけで、ダークスポットが形成されなく、よって、ダイオード照明モジュール全体の照明効果に対する損失が小さく、発光ダイオード照明モジュールの安定性を向上することができる。また、発光ダイオード素子は複数の発光ダイオードチップを含み、発光ダイオードチップが製造バッチ等により耐用年数が異なるため、発光ダイオードにおける耐用年数が短い発光ダイオードチップが故障した場合でも、耐用年数の長い発光ダイオードチップは正常に動作することができ、照明効果への影響が少ないので、発光ダイオード照明モジュールの耐用年数を向上することができる。
【００４５】
例えば、本実施例の１つの例示が提供する発光ダイオード照明モジュールにおいて、図１に示すように、発光ダイオード照明モジュールはヒートシンク１１２を含んでもよく、ヒートシンク１１２は台座１１０と一体形成されてもよい。例えば、台座１１０は、発光ダイオード素子１３０を支持する本体部１１３と、本体部１１３の取付面１１１の反対側に設置されるヒートシンク１１２と、を含む。もちろん、本開示はそれに限定されないが、ヒートシンクと台座は、固定子によって一体に組み立てられた分離構造であってもよい。
【００４６】
例えば、本実施例の１つの例示が提供する発光ダイオード照明モジュールにおいて、ヒートシンクはフィン付きヒートシンクや熱伝導性の金属ブロック、または熱伝導性の金属板であってもよい。
【００４７】
例えば、本実施例の１つの例示が提供する発光ダイオード照明モジュールにおいて、台座上にシートシンクを設置せずに、熱伝導性が優れた材料で台座を製造することによって、発光ダイオードを放熱してもよい。
【００４８】
例えば、本実施例の１つの例示が提供する発光ダイオード照明モジュールにおいて、図１に示すように、発光ダイオード照明モジュールはワイヤ１６０をさらに含んでもよく、台座１１０は開孔を１つ含み、ワイヤ１６０は、該開孔を通過して台座１１０に設置されたダイオード素子１３０に接続され、電源に接続されて発光ダイオード素子１３０に電力を供給するために用いられる。
【００４９】
例えば、本実施例の１つの例示が提供する発光ダイオード照明モジュールにおいて、図１に示すように、発光ダイオード照明モジュールは、台座１１０における開孔をシールするために用いられ、水気が開孔から収容空間の内部に入り収容空間内の発光ダイオード素子または電子回路の汚染または腐食を防止するワイヤ防水コネクタ１６１を含んでもよい。
【００５０】
実施例２
実施例１に基づいて、本実施例は発光ダイオード照明モジュールを提供し、該発光ダイオード照明モジュールにおいて、各発光ダイオード素子は、個別にパッケージされたマルチチップ発光ダイオードランプビーズであり、前記マルチチップ発光ダイオードランプビーズ内の発光ダイオードチップの数は２以上である。
【００５１】
例えば、図４ａは本開示の１つの実施例に係る発光ダイオード素子の平面模式図である。図４ａに示すように、発光ダイオード素子は発光ダイオードチップ１３２を８つ含み、そのうちの耐用年数が短い１つの発光ダイオードチップが発光できない場合に、その他の７つの発光ダイオードチップがまだ正常に発光でき、この際に、該発光ダイオード素子は輝度が７／８までしか低下せず、それに、レンズ部の作用によって、発光できない発光ダイオードチップはダークスポットが形成されない。従って、該発光ダイオード素子を引き続き使用することができ、それによって発光ダイオード照明モジュールの耐用年数が延長される。なお、本開示に係る各発光ダイオード素子における発光ダイオードチップの数は８つに限定されない。例えば、各発光ダイオード素子における発光ダイオードチップの数は２つ、３つまたは４つ以上であってもよい。
【００５２】
例えば、図４ｂは本開示の１つの実施例に係る発光ダイオード素子の図４ａにおけるＡＡ’方向に沿う断面模式図である。本実施例の１つの例示が提供する発光ダイオード照明モジュールにおいて、図４ａ―図４ｂに示すように、該発光ダイオード素子は、複数の発光ダイオードチップ１３２がマトリックス状に配列されたブラケット１３１と、ブラケット１３１と複数の発光ダイオードチップ１３２上に設けられたパッケージ層１３３と、をさらに含む。パッケージ層１３３は複数の発光ダイオードチップ１３２をパッケージするために用いられる。
【００５３】
例えば、本実施例の１つの例示が提供する発光ダイオード照明モジュールにおいて、図４ａ―４ｂに示すように、パッケージ層１３３はブラケット１３１と複数の発光ダイオードチップ１３２を包み、複数の発光ダイオードチップ１３２をブラケット１３１上にシールする。従って、発光ダイオード素子の防水性、耐酸化性を向上することができ、発光ダイオード素子の耐用年数を延ばすことができ、よって、発光ダイオード照明モジュールの耐用年数を向上することができる。なお、ブラケット１３１は、パッケージ層１３３と協働して複数の発光ダイオードチップ１３２をよりよくシールするために、該発光ダイオードの周囲に位置する突起部を含んでもよい。
【００５４】
実施例３
実施例１に基づいて、本実施例は発光ダイオード照明モジュールを提供し、図２に示すように、レンズ部１２２とレンズ支持部１２１は一体構造である。従って、レンズ部１２２とレンズ支持部１２１を一体形成することによって、レンズアセンブリの構造を簡素化でき、取付が便利になる。もちろん、本開示はそれに限定されないが、レンズ部とレンズ支持部は分離構造であってもよい。
【００５５】
例えば、レンズアセンブリ１２０の変形を防止するように、レンズアセンブリ１２０に補強リブが設置され、またはレンズアセンブリ１２０の局部を肉厚にしてもよい。
【００５６】
例えば、レンズアセンブリ１２０の材料は例えばＰＣ（ポリカーボネート）またはＰＭＭＡ（ポリメチルメタクリレートで、アクリルとも呼ばれる）である。
【００５７】
例えば、本実施例の１つの例示が提供する発光ダイオード照明モジュールにおいて、図２に示すように、該発光ダイオード照明モジュールはレンズアセンブリ１２０の縁に設置された固定アセンブリ１４０をさらに含む。固定アセンブリ１４０はレンズアセンブリ１２０を台座１１０上に固定することができる。従って、レンズアセンブリ１２０は固定アセンブリ１４０によって発光ダイオード素子１３０に固定され、変位が発生しにくく、レンズ部１２２が発光ダイオード素子１３０に対する配光の安定性を向上することができ、ひいては本実施例が提供する発光ダイオード照明モジュールの照明効果の安定性を向上する。
【００５８】
例えば、本実施例の１つの例示が提供する発光ダイオード照明モジュールにおいて、図２に示すように、固定アセンブリ１４０は、レンズアセンブリ１２０と台座１１０を締め付けるように、レンズアセンブリ１２０に対して台座１１０に向かう圧力を付勢するように配置される固定子１４２を含む。
【００５９】
例えば、図２に示すように、本実施例の１つの例示が提供する発光ダイオード照明モジュールは、台座１１０とレンズアセンブリ１２０との間に、即ち、取付面とレンズアセンブリとの間に設置される弾性ワッシャ１４１をさらに含む。固定子１４２はレンズアセンブリ１２０に対して台座１１０に向かう圧力を付勢することによって、レンズアセンブリ１２０と台座１１０を締め付け、弾性ワッシャ１４１を圧縮状態にさせてレンズアセンブリ１２０と台座１１０の表面に密接させる。従って、弾性ワッシャ１４１と固定子１４２の作用によって、レンズアセンブリ１２０を台座１１０上にしっかり固定することができる一方、レンズアセンブリ１２０と台座１１０との間に形成された収容空間２００をシールさせることができ、防水の目的を達成する。
【００６０】
例えば、弾性ワッシャ１４１は例えば閉環形状であり、その断面は例えば円形、Ｔ形または７字形などの他の形状であり、弾性ワッシャ１４１の材料はシリコーンゴム、ゴムまたは他の弾性材料である。
【００６１】
例えば、弾性ワッシャ１４１とレンズアセンブリ１２０との間、および弾性ワッシャ１４１と台座１１０との間はいずれもしまりばめで、弾性ワッシャ１４１を変形させてレンズアセンブリ１２０と台座１１０との間で押圧される。つまり、レンズアセンブリ１２０と弾性ワッシャ１４１との接触位置の表面と、台座１１０と弾性ワッシャ１４１との接触位置の表面との間の距離は、弾性ワッシャ１４１が台座１１０の取付面１１１に垂直となる方向において押圧されていない際の元寸法より小さい。即ち弾性ワッシャ１４１がレンズアセンブリ１２０と台座１１０との間に押圧されて弾性変形され、レンズアセンブリ１２０と台座１１０の表面に密接される。このようなしまりばめによって、収容空間のシールに有利である。
【００６２】
例えば、図２に示すように、固定子１４２は、レンズアセンブリ１２０の台座１１０の反対側に設置されてレンズアセンブリ１２０の一部に面する第１部分１４２１と、第１部分１４２１から延びて台座１１０に接続される第２部分１４２２とを含み、固定子１４２の第１部分１４２１はレンズアセンブリ１２０に対して台座１１０に向かう圧力を付勢する。
【００６３】
例えば、図２に示すように、第２部分１４２２はレンズアセンブリ１２０の側面から台座１１０の側面まで延び、固定子１４２の第２部分１４２２は、台座１１０に接続するように、台座１１０と互いに合わせるスナップ構造を形成する。つまり、固定子１４２は第１部分１４２１と第２部分１４２２によってレンズアセンブリ１２０と台座１１０を係り合わせるとともに、第１部分１４２１がレンズアセンブリ１２０に対して台座１１０に向かう圧力を付勢することによって、レンズアセンブリ１２０と台座１１０を締め付け、弾性ワッシャ１４１を圧縮状態にさせてレンズアセンブリ１２０と台座１１０の表面に密接させる。なお、上記固定子１４２とレンズアセンブリ１２０は分離された異なる構造で、レンズアセンブリ１２０の材質選択が、光の透過性能、機械的性能及び屋外性能を考慮する必要があるが、固定子１４２が通常変形して良好な硬度、強度及び弾性性能を必要とするため、レンズアセンブリ１２０と固定子１４２は異なる材料で製造することができる。しかし、本開示はそれに限定されないが、固定子１４２はレンズアセンブリ１２０と一体形成されてもよく、例えば、固定子１４２の第１部分１４２１はレンズアセンブリ１２０と一体形成されて同じ水平面に位置し、第２部分１４２２によって台座に係り合われ、レンズアセンブリ１２０に対して台座１１０に向かう圧力を付勢してもよい。
【００６４】
例えば、図３に示すように、台座に平行となる平面上に、固定子１４２の第１部１４２１は環形構造であってもよく、レンズアセンブリ１２０の縁に沿って一回りするように設置され、レンズアセンブリ１２０に加えられた力を比較的均一にさせるとともに、収容空間のよりよい密閉性の確保に有利である。この際に、弾性ワッシャ１４１も同様に環形構造であってもよい。図３に示すように、固定子１４２の第２部分１４２２は分離された複数のサブ拡張部であってもよい。複数のサブ拡張部はレンズアセンブリ１２０の周辺に均一に分布され、もちろん、固定子１４２の第２部分１４２２も環形構造であってもよく、台座１１０の縁に沿って一回りするように設置される。
【００６５】
例えば、本実施例の１つの例示が提供する発光ダイオード照明モジュールにおいて、図５に示すように、固定アセンブリ１４０は、レンズアセンブリ１２０と台座１１０との間に設置されるシーラント１４３を含んでもよく、シーラント１４３は、レンズアセンブリ１２０を接着力によって台座１１０上に固定してレンズアセンブリ１２０と台座１１０との間に密閉空間である収容空間２００を形成させる。なお、シーラント１４３は、固定部品１４０として単独で使用してもよいし、弾性ワッシャ１４１または固定子１４２とともに使用してもよい。シーラントを弾性ワッシャとともに使用する場合に、取り付ける過程において、シーラントを塗布した後にレンズアセンブリを台座に押し付け、シーラントが硬化した後に付勢した圧力を除去する。もちろん、シーラント、ワッシャと固定子はいずれも通常である場合がある。
【００６６】
なお、本実施例が提供する発光ダイオード照明モジュールにおいて、固定アセンブリは他の固定方式、例えば、溶接、ネジ止めなどの固定方式によって固定してもよく、本開示はここで限定されない。
【００６７】
例えば、本実施例の１つの例示が提供する発光ダイオード照明モジュールにおいて、図６に示すように、該発光ダイオード照明モジュールは取付面１１１上に設置された回路基板１７０をさらに含み、上記少なくとも１つの発光ダイオード素子１３０は回路基板１７０上に設置される。
【００６８】
例えば、回路基板１７０は外部の水と酸素の腐食から避けるように、収容空間２００内に位置してもよい。
【００６９】
例えば、回路基板１７０はＰＣＢボード（Ｐｒｉｎｔｅｄ  Ｃｉｒｃｕｉｔ  Ｂｏａｒｄ、プリント回路基板）であってもよい。発光ダイオード素子１３０はＰＣＢボード上に設置されてもよく、発光ダイオード素子が設置されたＰＣＢＡ（Ｐｒｉｎｔｅｄ  Ｃｉｒｃｕｉｔ  Ｂｏａｒｄ  Ａｓｓｅｍｂｌｙ、プリント回路基板アセンブリ）を形成してから、プリント回路基板アセンブリを台座１１０上に設置する。
【００７０】
例えば、本実施例の１つの例示が提供する発光ダイオード照明モジュールにおいて、図７に示すように、レンズ支持部１２１と固定子１４２は一体構造であってもよい。もちろん、本開示はそれに限定されないが、レンズ支持部と固定子は分離構造であってもよい。
【００７１】
例えば、例えば、本実施例の１つの例示が提供する発光ダイオード照明モジュールにおいて、図８に示すように、固定子１４２とレンズアセンブリ１２０は分離構造であり、固定子１４２は、レンズアセンブリ１２０の台座１１０の反対側に設置されてレンズアセンブリ１２０の一部に面する第１部分１４２１を含み、該発光ダイオード照明モジュールは、第１部分１４２１を台座１１０上に固定する締付品１７０をさらに含む。例えば、締付品１７０は、台座内の雌ねじを有する穴の中にねじ込んで固定されることができるボルトであってもよい。それに対して、台座１１０上は締付品１７０に合わせるねじ穴を含む。
【００７２】
例えば、本実施例の１つの例示が提供する発光ダイオード照明モジュールにおいて、図９に示すように、固定子１４２とレンズアセンブリ１２０は一体構造であり、該発光ダイオード照明モジュールは、固定子１４２を台座１１０上に固定する締付品１７０をさらに含む。例えば、締付品１７０は、台座内の雌ねじを有する穴の中にねじ込んで固定されることができるボルトであってもよい。それに対して、台座１１０上は締付品１７０に合わせるねじ穴を含む。
【００７３】
例えば、本実施例の１つの例示が提供する発光ダイオード照明モジュールにおいて、図１０に示すように、第２部分１４２２はレンズアセンブリ１２０の側面から台座１１０の側面まで延び、固定子１４２の第２部分１４２２は、締付品１７０によって台座１１０に接続する。
【００７４】
実施例４
本実施例は発光ダイオード照明モジュールを提供し、図１０に示すように、該発光ダイオード照明モジュールにおいて、台座１１０はランプ掛けであり、レンズアセンブリ１２０と発光ダイオード素子１３０はランプ掛け上に直接に固定される。なお、該発光ダイオードモジュールが回路基板を含む際に、該回路基板も同様にランプ掛けに直接に固定される。
【００７５】
図１０に示す平面模式図において、本開示の実施例に係る発光ダイオード照明モジュールは、略矩形を有する平面構造を示すが、本開示の実施例に係る発光ダイオード照明モジュールは平面形状が矩形に限定されなく、正方形、円形、楕円形、またはその他の規則的または不規則な形状であってもよい。
【００７６】
例えば、本実施例の１つの例示が提供する発光ダイオード照明モジュールにおいて、図１０に示すように、ランプ掛け１１０は、電源アセンブリを放置するように配置される電源取付部１１０２と、レンズアセンブリ１２０および発光ダイオード素子１３０が設置される光源取付部１１０１とを含む。
【００７７】
例えば、本実施例の１つの例示が提供する発光ダイオード照明モジュールにおいて、図１１に示すように、ランク掛け１１０は光源取付部１１０１と電源取付部１１０２との間に位置する複数のスルーホール１１９を含む。複数のスルーホール１１９は、付着した水の除去を容易にし、付着した水が灯具の内部へ進入して灯具内部素子を損傷することを避けることに用いられ、例えば駆動電源や避雷器を保護し、それと同時に、発光ダイオード照明モジュールの放熱通気孔とされてもよく、電源アセンブリと発光ダイオード素子との間の熱の相互伝達および影響をさらにブロックし、ランプ全体の放熱性能を向上する。灯具の安定性を向上する。
【００７８】
実施例５
本開示の実施例は発光ダイオード照明装置を提供する。例えば、該発光ダイオード照明装置は発光ダイオード照明モジュールであってもよい。本実施例に係る発光ダイオード照明装置は、レンズ部品（レンズアセンブリ）と台座との間の収容空間から引き出されたワイヤを含んでもよい。前記ワイヤは台座側から引き出され、該ワイヤによって発光ダイオード素子に電源を提供することができるように、収容空間における発光ダイオード素子に電気接続されてもよい。
【００７９】
本実施例はワイヤ引出構造を提供する。該ワイヤ引出構造は上記各実施例が提供する発光ダイオード照明モジュールに用いることができるが、本開示に係る実施例はそれに限定されなく、該ワイヤ引出構造は発光ダイオード素子を１つの収容空間内にシールする各種の発光ダイオード照明モジュールに適用することができる。例えば、該発光ダイオード照明モジュールは、取付面を１つ有する台座と、前記台座の取付面上に設置された発光ダイオード素子と、前記台座の前記取付面側に設置されたレンズ部品と、前記台座と前記レンズ部品との間に設置されたワッシャであって、前記発光ダイオード素子を前記ワッシャによって囲まれたエリア内に位置させるワッシャと、を含み、前記レンズ部品と前記台座との間における前記ワッシャによって囲まれたエリヤは密閉された収容空間を１つ構成し、前記発光ダイオード素子は前記収容空間内に位置する。例えば、該ワイヤ引出構造は、前記台座を貫通するスルーホールを介して前記収容空間から前記発光ダイオード照明装置の外部まで引き出されるワイヤを含み、前記ワイヤと前記スルーホールとの間がシールされる。
【００８０】
図１２と図１３はそれぞれ２つの例示的な斜視模式図で、図１４は１つの例示に係る発光ダイオード装置の分解模式図である。例えば、図１２−図１４に示すように、該実施例において、発光ダイオード照明装置は、台座３１０と、台座上に設置された発光ダイオード素子と、レンズグループ３３０と、固定子３５０とを含んでもよい。これらの部品の位置関係および取付関係は、レンズ部品（レンズアセンブリ）と台座との間の収容空間に発光ダイオード素子をシールすることができるものであれば、上記各実施例を参照し、または他の任意の適切な配置を採用することができる。本実施例において、例えば、台座３１０は光源（発光ダイオード素子）を支持するための光源支持部（本体部分）とヒートシンク３１１とを含んでもよい。ヒートシンク３１１は光源支持部と一体に設置されてもよい。ヒートシンク３１１は、台座３１０の取付面との反対側に延長された少なくとも１つの片状または弧状突起を含む。
【００８１】
該実施例に置いて、ヒートシンクを台座の取付面の反対側に設置し、発光ダイオードの動作中に発生する熱を放熱することに有利である。
【００８２】
本実施例において、台座３１０は、台座３１０の対置両端上に設置されてそれぞれヒートシンクの片状突起または弧状突起の箇所から延長された少なくとも１つのモジュール取付部３１３をさらに含む。図１２と図１３に示すように、本実施例において、ヒートシンク３１１から延長されたモジュール取付のためのモジュール取付部３１３は２種の形式があり、１種はプラットフォーム取付部（図１２）であり、もう１種は楔形取付部（図１３）である。例えば、プラットフォーム取付部は台座３１０の取付面に平行となる平板状構造である。例えば、本実施例に係る発光ダイオード照明装置は、ヒートシンクの両端に設置されたモジュール取付部によってランプハウジング上に取り付けられることができる。例えば、該プラットフォーム取付部の縁部に切欠きまたは穴が設置され、締付品でこれらの切欠きまたは穴によって照明装置をランプハウジング上に固定することができる。もちろん、他の実施例において、プラットフォーム取付部における切欠きはその他の形状であってもよい。例えば、図１３に示すように、楔形取付部は板状部品を楔形に屈折して形成した楔形構造である。同様に、楔形取付部の縁部にも固定するための切欠きまたは穴が設置されてもよい。
【００８３】
例えば、図１４の分解模式図に示すように、本実施例に係る発光ダイオード照明装置はＰＣＢボール３１２上に設置されてもよい。台座取付面に垂直となる方向において、固定子３５０、レンズ部品３３０、ワッシャ３４０、ＰＣＢボード３１２、台座３１０は順に積層される。各部品の取付順序および相対位置関係は、レンズ部品（レンズアセンブリ）と台座との間の収容空間に発光ダイオード素子をシールすることができるものであれば、前記各実施例を参照し、または他の任意の適切な配置を採用することができ、ここで省略する。
【００８４】
本実施例に対して、前記各実施例を参照すればわかるように、レンズ部品３３０と台座３１０との間におけるワッシャ３４０によって囲まれたエリアは密閉された収容空間を１つ構成し、発光ダイオードは前記収容空間内に位置する。しかし、密閉された収容空間に位置する発光ダイオードに電源およびその他の制御信号を提供するために、密閉空間からワイヤを引き出す必要があるが、収容空間の密閉性への破壊を避けるために、ワイヤ引出構造も密閉でないといけない。
【００８５】
例えば、本実施例に係る発光ダイオード照明モジュールは、台座３１０を貫通するスルーホールを介して収容空間から発光ダイオード照明装置の外部まで引き出されるワイヤを含むワイヤ引出構造を含み、ワイヤとスルーホールとの間がシールされる。
【００８６】
該実施例において、密閉されたワイヤ引出構造を設置することによって、密閉された収容空間内の発光ダイオードに電源を提供すると同時に、水気等が収容空間に入って発光ダイオードに悪影響を与えることを防止するように、収容空間の密閉性を保証する。
【００８７】
ワイヤ引出構造のシールについて、例えば、ワイヤとそれが通過したスルーホールとの間をシールしてもよく、その他の方式を利用してもよい。例えば、ワイヤとスルーホールとの間の隙間は、シールリングによってシールされていてもよく、シールリングによるシールの具体的な形態は特に限定されない。シールリングは弾性材料であってもよく、例えばシールリングはゴム材料で作製される。
【００８８】
以下に、図１５ａと図１５ｂを参照して、本実施例に係るいくつかの例示的な構造について説明する。
【００８９】
例えば、ワイヤ引出構造は、ワイヤのほか、シールリングと雄ねじ管を含んでもよい。ワイヤはシールリングと雄ねじ管を通過してもよい。シールリングの内周面はワイヤに密接され、シールリングの外周面は前記雄ねじ管の内周面に密接され、且つ前記雄ねじ管の少なくとも一部は前記スルーホール内に挿し込まれ、前記スルーホールの内壁に結合される。つまり、シールリングはワイヤに嵌設され、雄ねじ管はシールリングに嵌設されて台座におけるスルーホールまで結合される。
【００９０】
図１５ａと図１５ｂは本実施例に係る発光ダイオード照明装置の断面図および局部拡大模式図である。例えば、図１５ａは発光ダイオード照明装置を経過したモジュール取付部およびワイヤ引出構造を設置する断面図で、図１５ｂは図１５ａにおける円で表記した部分の拡大図である。
【００９１】
図１５ａと図１５ｂを参照して見えるように、組立ＰＣＢボードに電気的接続（つまり発光ダイオード素子に電気的接続）されたワイヤは台座３１０のＬＥＤ素子に対置する面におけるスルーホールを貫通して、電源アセンブリに電気的接続される。例えば、ここのワイヤはダイオード素子に直接に接続されてもよく、ＰＣＢボードに直接に接続されてもよく、本開示は特にそれに限定されない。
【００９２】
例えば、台座を貫通するスルーホールは第１穴３１３と、移行円錐穴３１５と、第２穴３１４とを含んでもよい。第１穴３１３と、移行円錐穴３１５と、第２穴３１４とは順に接続して台座を貫通するスルーホールを形成する。第１穴３１３は台座の収容空間に離れる側に形成され、第２穴３１４は台座の収容空間に接近する側に形成され、移行円錐穴３１５は第１穴３１３と第２穴３１４との間に形成される。第１穴３１３は第２穴３１４より直径が大きく、移行円錐穴３１５は、収容空間に離れる端から収容空間に近接する端に向かう方向において、その直径が第１穴３１３の直径から第２穴３１４の直径になるように徐々に変化する。
【００９３】
例えば、シールリング５００はＴ形のシールリングで、つまり、該シールリングの軸線方向の断面形状は略Ｔ字形で、Ｔ字の軸線方向において穴部分を有する。例えば、Ｔ形のシールリングは、外径が大きい頭部５０１および外径が小さい本体部５０２を含む。Ｔ形のシールリングは軸線方向における各部分の穴の直径がほぼ等しい。つまりシールリングの穴は円柱形であってもよく、その直径がワイヤに合わせることができ、もちろん、本開示は特にそれに限定されない。例えば、シールリングの穴の元直径はワイヤの直径より小さく、シールリングがワイヤに嵌設された後に、両者の界面の間にシール構造を形成するように、ワイヤに密接することができる。Ｔ形のシールリングの本体部分５０２は、その頭部５０１に近接する位置から頭部５０１に離れる方向において、同じ外径を有してもよく、漸減される外径を有してもよい。
【００９４】
雄ねじ管６００はＴ形のシールリングの本体部分５０２に嵌設される。例えば、雄ねじ管６００の内径は、それがワイヤ４００に嵌設されたＴ形のシールリング５００に取り付けられた際に、シールを形成するように、雄ねじ管６００がＴ形のシールリングを押し付けることができるように設置される。雄ねじ管６００は、第１穴３１３の箇所に結合させることができるように、第１穴３１３に合わせてもよい。例えば、第１穴３１３の内壁に、雄ねじ管６００の雄ねじに合わせるねじ構造が設置され、前記雄ねじ管の雄ねじと前記第１穴の雌ねじは互いに噛み合わせる。
【００９５】
例えば、Ｔ形のシールリング５００の頭部５０１の外径は第１穴３１３の内径以上であり、雄ねじ管６００の外径は第２穴３１４の直径（内径）より大きいようにして、ワイヤの延長方向において、雄ねじ管６００の端面の少なくとも一部が移行円錐穴３１５の錐面に対置され、雄ねじ管６００が第１穴３１３に挿入する際に、シール効果をさらに向上するように、Ｔ形のねじ管５００の頭部５０１を移行円錐穴の錐面に当接してもよい。つまり、前記シールリングの頭部は前記雄ねじ管の端部と前記移行円錐穴の錐面との間に押圧される。
【００９６】
例えば、Ｔ形のシールリング５００の本体部分は軸線方向において均一な外径を有し、または本体部分５０２の外径が、円錐部を形成するように、頭部５０１に離れる方向において漸減される。
【００９７】
例えば、Ｔ形のシールリングの内周面はワイヤに密接される。雄ねじ管がＴ形のシールリングに対してシールリングの頭部に移動するほど、雄ねじ管の内周面とＴ形のシールリングが緊密に貼り合わせ、シールリングとワイヤとのシールがよくなっていく。雄ねじ管の雄ねじは第１穴の雌ねじに合わせ、Ｔ形のシールリングの頭部をそれぞれ雄ねじ管の一端面および移行円錐穴の錐面に貼り合わせる。雄ねじ管が第１穴に近接するほど、雄ねじ管の押圧によって、Ｔ形のシールリングの頭部が移行円錐穴の錐面に緊密に貼り合わせ、第２穴とＴ形のシールリングとのシールがよくなっていく。
【００９８】
その他、注意すべきことは、本実施例の上記説明した照明装置は第１から第３実施例に基づいたものであるが（上記突起部または第１溝が前記ワッシャの内側または前記ワッシャの直上方に設置される）、本実施例の構造は第１から第３実施例において説明した基本構造に限定されるものではなく、上記突起部または第１溝が前記ワッシャの外側に設置された場合にも適用することができ、ここで詳細な説明を省略する。いくつかの例示において、上記突起部または第１溝が前記ワッシャの外側に設置される。固定子の第１部分の突起部以外の部分とレンズ部品との間に隙間を有するため、これらの例示において、固定子がレンズ部品に対する合力ポイントはワッシャの外側にある。これらの例示において、レンズ部品の中部が突起される課題は他の方式で解決することができる。
【００９９】
また、図１２−図１４に示すように、ワイヤ４００に対して、その収容空間の外部に突出する一端には、防水コネクタが接続されてもよい。本実施例は防水コネクタの具体的な構造について特に限定されないが、任意の適切な防水コネクタを使用することができる。
【０１００】
本開示において、各実施例における同一または類似の部品は、同一または類似の符号を使用し、これらの部品に対する説明は各実施例を参照することができ、異なる実施例の構造と解決案は互いに結合または一部結合してもよい。
【０１０１】
以上は、本発明の例示的な実施形態に過ぎず、本発明の範囲を限定するものではなく、本発明の保護範囲は、添付の特許請求の範囲によって規定される。
【０１０２】
本願は２０１６年６月７日付出願の中国特許出願第２０１６２０５５３７２４．３号および２０１６年８月２９日付出願の中国特許出願第２０１６２０９８００１４．９号の優先権を主張し、ここで上述の中国特許出願が開示した全ての内容を援用して本願の一部として取り込む。
【図１】
2019523972.tif 000003
【図２】
2019523972.tif 000004
【図３】
2019523972.tif 000005
【図４ａ】
2019523972.tif 000006
【図４ｂ】
2019523972.tif 000007
【図５】
2019523972.tif 000008
【図６】
2019523972.tif 000009
【図７】
2019523972.tif 000010
【図８】
2019523972.tif 000011
【図９】
2019523972.tif 000012
【図１０】
2019523972.tif 000013
【図１１】
2019523972.tif 000014
【図１２】
2019523972.tif 000015
【図１３】
2019523972.tif 000016
【図１４】
2019523972.tif 000017
【図１５ａ】
2019523972.tif 000018
【図１５ｂ】
2019523972.tif 000019
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
取付面を１つ有する台座と、
前記台座の取付面上に設置された少なくとも１つの発光ダイオード素子であって、各前記発光ダイオード素子はパッケージされた複数の発光ダイオードチップを含む発光ダイオード素子と、
前記台座の前記少なくとも1つの発光ダイオード素子が設置された側に設置され、前記台座との間に収容空間を１つ形成するレンズアセンブリであって、前記少なくとも1つの発光ダイオード素子は前記収容空間内に位置し、前記レンズアセンブリは、レンズ支持部と前記発光ダイオード素子に一々対応するレンズ部とを含み、前記レンズ部は、対応する発光ダイオード素子の配光を実現するように、前記対応する発光ダイオード素子に設置され、前記レンズ支持部は、前記レンズ部を支持するように、前記レンズ部に接続される、レンズアセンブリと、を含む、発光ダイオード照明モジュール。
【請求項２】
各前記発光ダイオード素子は、個別にパッケージされたマルチチップ発光ダイオードランプビーズである、請求項１に記載の発光ダイオード照明モジュール。
【請求項３】
前記発光ダイオード素子は、
前記複数の発光ダイオードチップがマトリックス状に配列されたブラケットと、
前記ブラケットと前記複数の発光ダイオードチップを包むパッケージ層と、をさらに含む、請求項１に記載の発光ダイオード照明モジュール。
【請求項４】
前記パッケージ層は、前記複数の発光ダイオードチップを前記ブラケットにシールするように、前記ブラケットと前記複数の発光ダイオードチップを直接に覆う、請求項３に記載の発光ダイオード照明モジュール。
【請求項５】
前記台座は回路基板を含む、請求項１〜４のいずれか一項に記載の発光ダイオード照明モジュール。
【請求項６】
前記台座は前記発光ダイオード素子を支持する本体部を含み、前記台座は前記本体部の前記取付面の反対側に設置されたヒートシンクをさらに含む、請求項１〜４のいずれか一項に記載の発光ダイオード照明モジュール。
【請求項７】
前記レンズアセンブリを前記台座に固定するように、前記レンズアセンブリの縁に設置された固定アセンブリをさらに含み、
前記固定アセンブリは、
前記レンズアセンブリと前記台座を締め付けるように、前記レンズアセンブリに対して前記台座に向かう圧力を付勢するように配置される固定子と、
前記レンズアセンブリを前記台座上に固定して前記レンズアセンブリと前記台座との間に密閉空間である前記収容空間を形成させるように、前記レンズアセンブリと前記台座との間に設置されるシーラントと、のうちの少なくとも１つを含む、請求項１に記載の発光ダイオード照明モジュール。
【請求項８】
前記台座と前記レンズアセンブリとの間に設置される弾性ワッシャをさらに含み、前記固定アセンブリが前記レンズアセンブリと前記台座を互いに固定して前記弾性ワッシャを圧縮状態にさせる、請求項７に記載の発光ダイオード照明モジュール。
【請求項９】
前記固定子は、前記レンズアセンブリの前記台座の反対側に設置されて前記レンズアセンブリの一部に面する第１部分と、前記第１部分から延びて前記台座に接続される第２部分とを含み、前記固定子の前記第１部分は前記レンズアセンブリに対して前記台座に向かう圧力を付勢する、請求項７または８に記載の発光ダイオード照明モジュール。
【請求項１０】
前記第２部分は前記レンズアセンブリの側面から前記台座の側面まで延び、前記固定子の前記第２部分は、前記台座に接続するように、前記台座と互いに合わせられたスナップ構造を形成する、請求項９に記載の発光ダイオード照明モジュール。
【請求項１１】
前記第２部分は前記レンズアセンブリの側面から前記台座の側面まで延び、前記固定子の前記第２部分は締付品によって前記台座に接続される、請求項９に記載の発光ダイオード照明モジュール。
【請求項１２】
前記固定子は、前記レンズアセンブリの前記台座の反対側に設置されて前記レンズアセンブリの一部に面する第１部分を含み、前記発光ダイオード照明モジュールは、前記第１部分を前記台座上に固定する締付品をさらに含む、請求項７に記載の発光ダイオード照明モジュール。
【請求項１３】
前記台座はランプ掛けを含み、
前記ランプ掛けは、電源アセンブリを放置するように配置される電源取付部と、前記レンズアセンブリおよび前記発光ダイオード素子が設置される光源取付部とを含む、請求項１に記載の発光ダイオード照明モジュール。
【請求項１４】
前記台座を貫通するスルーホールを介して前記収容空間から前記発光ダイオード照明モジュールの外部まで引き出されるワイヤを含むワイヤ引出構造をさらに含み、前記ワイヤと前記スルーホールとの間がシールされる、請求項１に記載の発光ダイオード照明モジュール。
【請求項１５】
前記ワイヤ引出構造は、前記ワイヤと前記スルーホールとの間の隙間をシールするシールリングをさらに含む、請求項１４に記載の発光ダイオード照明モジュール。
【請求項１６】
前記ワイヤ引出構造は雄ねじ管をさらに含み、前記ワイヤが前記シールリングと前記雄ねじ管を通過し、前記シールリングの内周面が前記ワイヤに密接され、前記シールリングの外周面が前記雄ねじ管の内周面に密接され、前記雄ねじ管の少なくとも一部が前記スルーホール内に挿し込まれ、前記スルーホールの内壁に結合される、請求項１５に記載の発光ダイオード照明モジュール。
【請求項１７】
前記台座を貫通する前記スルーホールは、順に接続される、第１穴、移行円錐穴及び第２穴を含み、前記第１穴は、前記台座の前記収容空間から離れる側に形成され、前記第２穴は、前記台座の前記収容空間に近接する側に形成され、前記移行円錐穴は、前記第１穴と前記第２穴との間に形成され、前記第１穴の直径は前記第２穴の直径より大きく、前記移行円錐穴は、前記収容空間から離れる端から前記収容空間に近接する端に向かう方向において、その直径が前記第１穴の直径から前記第２穴の直径になるように徐々に変化する、請求項１６に記載の発光ダイオード照明モジュール。
【請求項１８】
前記スルーホールの前記第１穴は雌ねじを有し、前記雄ねじ管が前記スルーホールの前記第１穴に挿し込まれ、前記雄ねじ管の雄ねじが前記第１穴の雌ねじに互いに噛み合う、請求項１７に記載の発光ダイオード照明モジュール。
【請求項１９】
前記シールリングは外径の大きい頭部と外径の小さい本体部とを含み、前記雄ねじ管の内周面が前記シールリングの本体部の外周面に密接され、
前記シールリングの頭部は前記シールリングの本体部より前記収容空間に近接する、請求項１７または１８に記載の発光ダイオード照明モジュール。
【請求項２０】
前記雄ねじ管の外径と前記シールリングの頭部の外径はいずれも前記スルーホールの前記第２穴の直径より大きくて、前記シールリングの頭部は前記雄ねじ管の端部と前記移行円錐穴の錐面との間に押圧される、請求項１９に記載の発光ダイオード照明モジュール。
【国際調査報告】
2019523972.tif 000020
2019523972.tif 000021
2019523972.tif 000022
2019523972.tif 000023
2019523972.tif 000024
2019523972.tif 000025